(57)【要約】【課題】ダンベルとしての筋力鍛練と、振動や揺動付勢による腕や手首の筋力鍛練を可能にした筋力鍛練具を提供する。【解決手段】軸状ハウジング部(1a)の両端部に拡径ハウジング部(1b)(1b)を設けたダンベル形のハウジング(1)を有しており、固定錘(8)をハウジングに内装し、偏心錘(9)を一対の拡径ハウジング部(1b)に内装し、前記偏心錘(9)(9)を回転させる駆動源(10)を軸状ハウジング部(1a)に内装している。一対の偏心錘(9)(9)は、相互に回転方向に１８０度位置をずらせた状態で回転させられ、ハウジング１を振動させ、ユーザの腕に刺激を与え、拡径ハウジング部(1b)(1b)を８字方向に揺動するように付勢し、ひねりによる腕や手首の鍛練を可能にする。【選択図】図６
2012239623.tif 000002
【特許請求の範囲】
【請求項１】
軸状ハウジング部(1a)の両端部に拡径ハウジング部(1b)(1b)を設けたダンベル形のハウジング(1)を有し、
固定錘(8)を前記ハウジングに内装し、
偏心錘(9)をそれぞれ前記一対の拡径ハウジング部(1b)に内装し、
前記偏心錘(9)(9)を回転させる駆動源(10)を前記軸状ハウジング部(1a)に内装して成ることを特徴とする筋力鍛練具。
【請求項２】
前記固定錘(8)は、内側に空間部(17)を有する環状錘(11)を構成し、一対の環状錘(11)(11)をそれぞれ前記一対の拡径ハウジング部(1b)(1b)に内装し、前記空間部(17)の内部に前記偏心錘(9)を配置して成ることを特徴とする請求項１に記載の筋力鍛練具。
【請求項３】
一対の偏心錘(9)(9)を相互に回転方向に１８０度位置をずらせた状態で回転させるように構成して成ることを特徴とする請求項１又は２に記載の筋力鍛練具。
【請求項４】
前記固定錘(8)は、円柱状錘(12)を構成し、該円柱状錘(12)を前記軸状ハウジング部(1a)の中央に内装し、一対の偏心錘(9)(9)をそれぞれ駆動する一対の駆動源(10)(10)を前記円柱状錘(12)の両端に位置して軸状ハウジング部(1a)に内装して成ることを特徴とする請求項１、２又は３に記載の筋力鍛練具。
【請求項５】
一対の駆動源(10)(10)の回転数を異ならせて成ることを特徴とする請求項４に記載の筋力鍛練具。
【発明の詳細な説明】
【技術分野】
【０００１】
本発明は、ダンベル型の筋力鍛練具に関する。
【背景技術】
【０００２】
従来、筋力鍛練具としてダンベルが知られているが、使用する筋肉の部位が限定されており、しかも、運動が単調である。そこで、内蔵したモータにより錘を回転させ、使用者に錘の重量感に変化を与えるようにした筋力鍛練具が提案されている。
【先行技術文献】
【特許文献】
【０００３】
【特許文献１】特開２００３−１０２８６５号公報
【発明の概要】
【発明が解決しようとする課題】
【０００４】
ダンベル等により使用者の腕力を鍛練する際には、錘を上下移動する単純な運動だけでなく、ひねりによる腕の鍛練や、手首の鍛練を伴わせることが望ましく、このような鍛練を可能とした筋力鍛練具の提供が待望されているが、解決すべき種々の課題がある。
【課題を解決するための手段】
【０００５】
本発明は、種々の課題を解決した筋力鍛練具を提供するものであり、その手段として構成したところは、軸状ハウジング部の両端部に拡径ハウジング部を設けたダンベル形のハウジングを有し、固定錘を前記ハウジングに内装し、偏心錘をそれぞれ前記一対の拡径ハウジング部に内装し、前記偏心錘を回転させる駆動源を前記軸状ハウジング部に内装して成る点にある。
【０００６】
前記固定錘は、内側に空間部を有する環状錘を構成し、一対の環状錘をそれぞれ前記一対の拡径ハウジング部に内装し、前記空間部の内部に前記偏心錘を配置するのが好ましい。
【０００７】
この際、一対の偏心錘を相互に回転方向に１８０度位置をずらせた状態で回転させるように構成するのが好ましい。
【０００８】
また、前記固定錘は、円柱状錘を構成し、該円柱状錘を前記軸状ハウジング部の中央に内装し、一対の偏心錘をそれぞれ駆動する一対の駆動源を前記円柱状錘の両端に位置して軸状ハウジング部に内装するのが好ましい。
【０００９】
この際、一対の駆動源の回転数を異ならせるように構成しても良い。
【発明の効果】
【００１０】
請求項１に記載の本発明によれば、駆動源１０を停止した状態では、固定錘８と偏心錘９、９により相当の重量物を構成しているので、ユーザが軸状ハウジング部１ａを握持して上下移動することにより、通常のダンベルと同様の方法で腕力鍛練を行うことができる。そして、駆動源１０を駆動した状態では、偏心錘９、９の回転によりハウジング１の全体を振動させ、ユーザの腕の筋肉に適度の刺激を与えながら、腕力鍛練を行うことができるという効果がある。この際、一対の偏心錘９、９を相互に遅れたタイミングで回転させるように構成すれば、ユーザが握持した軸状ハウジング部１ａを中心として拡径ハウジング部１ｂ、１ｂに揺動運動を与えることができ、相互に同期したタイミングで回転させるように構成すれば、ハウジング１の全体に上下運動を与えることができ、何れの場合も、好適な筋肉鍛練のエクササイズを可能にする。
【００１１】
請求項２に記載の本発明によれば、拡径ハウジング部１ｂ、１ｂに内装した環状錘１１に空間部１７を形成し、該空間部１７に偏心錘９を配置するように構成しているので、狭小な拡径ハウジング部１ｂの内部に環状錘１１と偏心錘９の両者を内装することが可能となり、ハウジング１のコンパクト化に貢献し、しかも、偏心錘９、９の回転による揺動運動に関して、環状錘１１により慣性を増強できるという効果がある。
【００１２】
請求項３に記載の本発明によれば、一対の偏心錘９、９を相互に回転方向に１８０度位置をずらせた状態で回転させるように構成しているので、ユーザが握持した軸状ハウジング部１ａの中央部を中心として、拡径ハウジング部１ｂ、１ｂを相互に回転方向に半周だけ遅れたタイミングで回転方向Ｒに揺動させることができ、その結果、ハウジング１を全体として８字を描くように揺動させ、握持したユーザの腕と手に対して、ひねりによる腕の鍛練や、手首の鍛練を可能にする。
【００１３】
請求項４に記載の本発明によれば、ユーザが握持する軸状ハウジング部１ａの中央部に円柱状錘１２を設け、該円柱状錘１２の両端に位置して駆動源１０、１０を設けているので、該円柱状錘１２により重心形成手段１３と補強手段１４を構成することが可能となる。これにより、重心位置の握持部分を中心として偏心錘９、９による付勢運動を可能とするので、ユーザの手首を痛める危険はない。
【００１４】
請求項５に記載の本発明によれば、駆動源１０、１０の回転数が相互に異なるように構成されており、一対の偏心錘９、９は、時間経過により、相互に回転方向に遅れたタイミングによる回転状態と、同期したタイミングによる回転状態を変化しながら繰り返すので、筋肉鍛練のバリエーションが豊富となり、飽きのない筋肉鍛練のエクササイズを可能にする。
【図面の簡単な説明】
【００１５】
【図１】本発明の１実施形態の外観を示す斜視図である。
【図２】本発明の１実施形態の底面図である。
【図３】本発明の１実施形態の縦断面図である。
【図４】図３のＡ−Ａ線断面である。
【図５】駆動源の駆動制御手段をブロックにて示す回路図である。
【図６】本発明の作用を示す斜視図である。
【図７】本発明の別の作用を示す斜視図である。
【発明を実施するための形態】
【００１６】
以下図面に基づいて本発明の好ましい実施形態を詳述する。
【００１７】
図１ないし図４に示すように、筋力鍛練具は、軸状ハウジング部１ａの両端部に拡径ハウジング部１ｂ、１ｂを設けたダンベル形のハウジング１を構成している。
【００１８】
図示実施形態の場合、ハウジング１は、小径とされた軸状ハウジング部１ａの両端部に大径とされた拡径ハウジング部１ｂ、１ｂを延設した大小異径の円筒状に形成され、両端に開口する拡径ハウジング部１ｂ、１ｂの開口部を皿状のキャップ２、３により閉鎖している。図例の場合、ハウジング１は、断面円形とした円筒体を形成しているが、断面多角形とした角筒体を形成しても良い。このようなハウジング１は、合成樹脂により一体成形しても良く、又は径方向に半割り状に成形した分割体を合掌して固着することにより形成しても良い。この際、図示のように、径方向に対向する側面に位置して、前記軸状ハウジング部１ａの外周面から拡径ハウジング部１ｂ、１ｂの外周面に延びるように弾性グリップ板４、４を重ね合わせて固着することが好ましい。
【００１９】
これにより、図２に示すように、ハウジング１は、前記軸状ハウジング部１ａの内部に筒室５を形成し、前記拡径ハウジング部１ｂ、１ｂの内部に朝顔状のテーパ室６、６を形成する。因みに、ハウジング１を円筒形とする場合は、図示のように、拡径ハウジング部１ｂ、１ｂの外周部に平坦面を形成する座７、７を設け、床面等に置いた際の転動防止手段を構成することが好ましい。座７は、図例ではグリップ板４に形成しているが、拡径ハウジング部１ｂに形成しても良い。
【００２０】
前記ハウジング１には、固定錘８と偏心錘９が内装され、更に、前記偏心錘９を駆動回転する駆動源１０が内装されている。
【００２１】
図示実施形態において、前記固定錘８は、一対の環状錘１１、１１と、１個又は複数個の円柱状錘１２により構成されている。
【００２２】
前記円柱状錘１２は、金属製の円柱体を構成し、軸状ハウジング部１ａのほぼ中央に内嵌されており、筋力鍛練具の重心を形成する重心形成手段１３と、軸方向に延びることにより軸状ハウジング部１ａを補強する補強手段１４として機能し、該円柱状錘１２の両端に位置して一対の駆動源１０、１０を配置している。
【００２３】
前記駆動源１０、１０は、駆動軸１５ａを有する電動モータ１５により構成され、該電動モータ１５の基端部を軸状ハウジング部１ａに内嵌すると共に、先端部を拡径ハウジング部１ｂに臨ませるように配置され、フランジ付の保持筒１６ａとビス１６ｂ等を介してハウジング１の内側に固定された状態で、駆動軸１１ａを拡径ハウジング部１ｂの中心に位置させている。
【００２４】
前記環状錘１１は、金属製の分厚い環状体を構成し、内側に空間部１７を形成し、拡径ハウジング部１ｂに内嵌されると共にビス１７等を介して固定されている。
【００２５】
前記環状錘１１の空間部１７には、電動モータ１５の駆動軸１５ａが延出され、該駆動軸１５ａに偏心錘９が軸着されている。このように、環状錘１１により空間部１７を形成し、該空間部１７に偏心錘９を配置するように構成することにより、狭小なテーパ室６に環状錘１１と偏心錘９の両者を内装することが可能となり、ハウジング１のコンパクト化に貢献し、しかも、後述するように、偏心錘９の回転による付勢運動に関して、環状錘１１が付勢方向の慣性を増強することができる。
【００２６】
偏心錘９は、図３及び図４に示すように、駆動軸１５ａに軸着される軸孔１９から偏位する形状とされた金属製の分厚い扇形に形成され、前記環状錘１１の空間部１７の内部に位置して回転させられる。
【００２７】
図示実施形態の場合、一対の拡径ハウジング部１ｂ、１ｂに内装された一対の偏心錘９、９は、相互に回転方向に１８０度位置をずらせた状態でそれぞれの駆動軸１５ａ、１５ａに軸着されている。
【００２８】
一方の拡径ハウジング部１ｂとキャップ２の間には、制御室２０が形成され、該制御室２０に制御回路板２１が内装され、キャップ２の外面には操作パネル２２が取付けられている。
【００２９】
他方の拡径ハウジング部１ｂとキャップ３の間には、電源室２３が形成され、該電源室２３に内装した電源保持体２４に電池等の電源２５が着脱自在に保持されている。キャップ３は、拡径ハウジング部１ｂに対して着脱自在に構成され、キャップ３の外面には銘板２６が取付けられている。
【００３０】
前記制御回路板２１に設けられた回路手段を図５に示し、前記操作パネル２２に設けられた操作手段を図１に示している。電源２５と電動モータ１５の間において、電源スイッチ２７と始動スイッチ２８が設けられている。そこで、操作パネル２２の電源ボタン２７ａを押すと、電源スイッチ２７がＯＮとなり、電源ボタン２７ａを再度押すと、電源スイッチ２７がＯＦＦとなる。電源スイッチ２７をＯＮにした状態で、操作パネル２２の始動ボタン２８ａを押すと、電動モータ１５に対する電流供給がＯＮとなり、始動ボタン２８ａを再度押すと、電動モータ１５に対する電流供給がＯＦＦとなる。
【００３１】
電源スイッチ２７をＯＮにしたとき、電流の供給を受けるタイマー手段２９と、該タイマー手段２９に設定時間を入力する入力手段３０と、設定された時間とタイマー作動時の残り時間を表示する表示手段３１が設けられている。そこで、操作パネル２２のタイマー設定ボタン３０ａを押すと、押す回数に応じて入力手段３０により時間が設定されると共に、表示手段３１から出力される設定時間が操作パネル２２のディスプレイ３１ａに表示される。時間設定の後、前記始動ボタン２８ａを押すと、タイマー手段２９が時間の減算を開始し、表示手段３１を介して残り時間をディスプレイ３１ａにリアルタイムで表示し、残り時間が無になると同時に電動モータ１５に対する電流の供給を停止する。
【００３２】
更に、電動モータ１５の回転速度を変更可能とする電流制御手段３２が設けられており、操作パネル２２の強弱設定ボタン３２ａを押す回数に応じて、電動モータ１５に対する供給電流を「弱」「中」「強」のように数段階に設定可能に構成している。
【００３３】
上記構成の筋力鍛練具によれば、電源スイッチ２７をＯＦＦにした状態で、固定錘８（円柱状錘１２及び環状錘１１、１１）並びに偏心軸心９、９により相当の重量物を構成しているので、ユーザは、軸状ハウジング部１ａを握持して上下移動することにより、通常のダンベルと同様の方法で腕力鍛練を行うことができる。
【００３４】
操作パネル２２の電源ボタン２７ａにより電源スイッチ２７をＯＮにすると、タイマー設定ボタン３０ａと強弱設定ボタン３２ａにより、タイマー手段２９の時間設定と、電流制御手段３２の供給電流の強弱設定を行うことができる。このとき、電動モータ１５は停止し、偏心錘９を静止しているので、ボタン操作を容易に行うことができる。
【００３５】
ユーザが軸状ハウジング部１ａを握持した状態で、操作パネル２２の始動ボタン２８ａにより始動スイッチ２８をＯＮにすると、電動モータ１５、１５が偏心錘９、９を駆動回転する。偏心錘９は、駆動軸１５ａに対して偏心回転するので、これによりハウジング１の全体を振動させ、ユーザの腕の筋肉に適度の刺激を与える。
【００３６】
この際、図示実施形態によれば、駆動軸１５ａ、１５ａに対して一対の偏心錘９、９が相互に回転方向に１８０度位置をずらせた状態で軸着されているので、図６に示すように、ユーザが握持した軸状ハウジング部１ａの中央部を中心として、拡径ハウジング部１ｂ、１ｂを相互に回転方向に半周だけ遅れたタイミングで回転方向Ｒに付勢力を生じ、その結果、ハウジング１を全体として８字を描くように揺動させるので、握持したユーザの腕と手に対して、ひねりによる腕の鍛練や、手首の鍛練を可能にする。
【００３７】
このような８字方向に揺動する付勢力は、強弱設定ボタン３２ａを介して電流制御手段３２により電動モータ１５、１５の回転数を変更することにより変化する。例えば、回転数が低い場合は、偏心錘９、９の慣性によりゆっくりと大きく揺動し、回転数が高い場合は、慣性を減じて小さい円弧で揺動することにより振動を顕著にする。
【００３８】
しかも、偏心錘９、９の周囲には環状錘１１、１１が配置されており、前記揺動運動に慣性を付加するので、揺動に対抗するユーザの腕や手首に大きな抵抗力を必要とさせ、好適に筋肉の鍛練を行わせる。
【００３９】
その一方において、ハウジング１は、ユーザが握持する軸状ハウジング部１ａの中央部に円柱状錘１２を設けることにより重心を形成し、重心位置の握持部分を中心とする８字方向の揺動を可能とするので、手首を痛める危険はない。
【００４０】
ところで、本発明は、図例の構成に限定されるものではなく、例えば、一対の偏心錘９、９を回転駆動する駆動源１０は、１個の電動モータ１５により構成しても良いが、図示実施形態のように独立した２個の電動モータ１５、１５により構成しておけば、相互に回転数を異ならせることが可能になり、その場合、一対の偏心錘９、９は、図６に示すような相互に半周だけ遅れたタイミングを有する回転状態から、時間経過と共に、タイミングが縮まり、図７に示すような位置ずれのない同期した回転状態に変化する。この際、同期した回転状態では、一対の偏心錘９、９がハウジング１を上動方向Ｕと下動方向Ｄに向けて同時に付勢するので、握持したユーザの腕と手に対して、上下動に抵抗する筋肉の鍛練を行わせる。そして、更に時間の経過と共に、図６に示すような半周遅れの回転に戻り、再び８字方向の揺動を可能にするので、筋肉鍛練のバリエーションが豊富となり、飽きのない筋肉鍛練のエクササイズを可能にする。
【符号の説明】
【００４１】
１  ハウジング
１ａ  軸状ハウジング部
１ｂ  拡径ハウジング部
２、３  キャップ
８  固定錘
９  偏心錘
１０  駆動源
１１  環状錘
１２  円柱状錘
１５  電動モータ
１５ａ  駆動軸
１７  空間部
【図１】
2012239623.tif 000003
【図２】
2012239623.tif 000004
【図３】
2012239623.tif 000005
【図４】
2012239623.tif 000006
【図５】
2012239623.tif 000007
【図６】
2012239623.tif 000008
【図７】
2012239623.tif 000009